(57)【要約】      （修正有）【課題】誤った郵送先に支払調書を送ることのない支払調書送付シートを提供する。【解決手段】支払調書送付シート１００は、任意の領域に分割できるように切断可能な材質でできた長方形のシート本体１０１の長手方向一方の端部の近傍領域であって短手方向一方の端部の近傍領域で特定される支払調書印刷領域１１０に支払調書１０が印刷されかつ長手方向他方の端部近傍領域に、支払調書１０を郵送するべき宛先印字領域１２０が備わり、支払調書印刷領域１１０と宛先印字領域１２０を除いて長手方向と直交方向にシート本体１０１を折り畳み可能となっており、宛先印字領域１２０が山折り面となるようにシート本体１０１を折り畳んだ状態で封止時に宛先印字領域１２０を外部から確認可能な窓部を有した封筒に挿し込むことが可能となっている。【選択図】図１
0003186901.tif 000002
【実用新案登録請求の範囲】
【請求項１】
任意の領域に分割できるように切断可能な材質でできた長方形のシートの長手方向一方の端部の近傍領域であって短手方向一方の端部の近傍領域で特定される支払調書印刷領域に支払調書が印刷されかつ長手方向他方の端部近傍領域に、前記支払調書を郵送するべき宛先印字領域が備わり、
前記支払調書印刷領域と前記宛先印字領域を除いて前記長手方向と直交方向に前記シートを折り畳み可能となっており、
前記宛先印字領域が山折り面となるように前記シートを折り畳んだ状態で封止時に前記宛先領域を外部から確認可能な窓部を有した封筒に挿し込むことが可能なことを特徴とする支払調書送付シート。
【請求項２】
前記支払調書印刷領域の部分が、当該支払調書印刷領域となっている代わりに源泉徴収票印刷領域となっていることを特徴とする請求項１に記載の支払調書送付シート。
【請求項３】
前記シートがＡ４サイズの紙でできており、前記支払調書印刷領域又は前記源泉徴収票印刷領域のみを人の指で切り離し可能とするミシン目が形成されていることを特徴とする請求子１又は請求項２に記載の支払調書送付シート。
【請求項４】
前記宛先印字領域を特定するための宛先領域確定枠が当該シートに予め印刷されていることを特徴とする請求項１乃至請求項３の何れかに記載の支払調書送付シート。
【請求項５】
前記シートの長手方向において宛先印字領域と前記支払調書印刷領域又は前記源泉徴収票印刷領域の間に備考記載領域が設けられていることを特徴とする請求項１乃至請求項４の何れかに記載の支払調書送付シート。
【請求項６】
前記備考確定領域を特定するための備考領域確定枠が当該シートに予め印刷されていることを特徴とする請求項１乃至請求項５の何れかに記載の支払調書送付シート。
【考案の詳細な説明】
【技術分野】
【０００１】
本考案は、誤った郵送先に支払調書を送ることのない支払調書送付シートに関する。
【背景技術】
【０００２】
例えば、個人事業主等が使用経費の確証書類を紛失しないように月ごとに整理し収納しておくことのできる必要経費の確定書類入れが知られている（例えば特許文献１参照）。
【０００３】
そして、この必要経費の確定書類入れに収納する書類の１つとして報酬料金契約及び賞金の支払調書（以下、単に「支払調書」とする）が挙げられる。係る支払調書は、確定申告が近付いた際に個人事業主が仕事を請け負った先である各企業からこの個人事業主に個別に送られるようになっている。
【先行技術文献】
【特許文献】
【０００４】
【特許文献１】特開平８−５８８０６号公報
【考案の概要】
【考案が解決しようとする課題】
【０００５】
しかしながら、上述の支払調書を各個人事業主に送るにあたって、例えば大企業であれば非常に多数の個人事業主に支払調書を郵送しなければならない。この郵送時に各事業主宛にそれぞれ対応する支払調書をチェックしながら封筒に詰めて郵送しなければならないという極めて煩雑な作業を必要とする。したがって、このような煩雑な作業に慣れない人や長時間煩雑な作業を続けて疲れが溜まっている人がこの作業を行なう場合に、支払調書を本来送るべき個人事業主と別の個人事業主に誤って郵送してしまう虞がある。支払調書には、具体的な支払いの金額名が記載されるとともに支払い先の個人事業主名が記載されているため、このような誤送が生じると、個人情報保護の観点からも問題が生じる。
【０００６】
このような問題は、支払調書に限らず給与所得の源泉徴収票（以下、単に「源泉徴収票」）をその支払を受ける人ごとに郵送する場合についても生じる虞がある。
【０００７】
本考案の目的は、誤った郵送先に支払調書を送ることのない支払調書送付シートを提供することにある。
【課題を解決するための手段】
【０００８】
上記目的を達成するために本考案の請求項１に係る支払調書送付シートは、
任意の領域に分割できるように切断可能な材質でできた長方形のシートの長手方向一方の端部の近傍領域であって短手方向一方の端部の近傍領域で特定される支払調書印刷領域に支払調書が印刷されかつ長手方向他方の端部近傍領域に、前記支払調書を郵送するべき宛先印字領域が備わり、
前記支払調書印刷領域と前記宛先印字領域を除いて前記長手方向と直交方向に前記シートを折り畳み可能となっており、
前記宛先印字領域が山折り面となるように前記シートを折り畳んだ状態で封止時に前記宛先領域を外部から確認可能な窓部を有した封筒に挿し込むことが可能なことを特徴としている。
【０００９】
本考案の請求項１に係る支払調書送付シートがこのような構成を有することで、支払調書の送付先を誤ることなく郵送すべき相手方に確実に郵送することができるようになる。
【００１０】
また、本考案の請求項２に係る支払調書送付シートは、請求項１に記載の支払調書送付シートにおいて、
前記支払調書印刷領域の部分が、当該支払調書印刷領域となっている代わりに源泉徴収票印刷領域となっていることを特徴としている。
【００１１】
請求項２に係る構成を有することによっても、請求項１の作用と同様に源泉徴収票を誤って送ることなく本来受け取るべき人に確実に郵送することができるようになる。
【００１２】
また、請求項３に係る支払調書送付シートは、請求項１又は請求項２に記載の支払調書送付シートにおいて、
前記シートがＡ４サイズの紙でできており、前記支払調書印刷領域又は前記源泉徴収票印刷領域のみを人の指で切り離し可能とするミシン目が形成されていることを特徴としている。
【００１３】
請求項３に係る支払調書送付シートがこのような構成を有することで、通常のＡ４サイズの紙を利用して支払調書を作成することができるようになるとともに、この支払調書作成シートを受け取った相手方がこのシートから支払調書のみを簡単に切り離すことができるようになる。
【００１４】
また、請求項４に係る支払調書送付シートは、請求項１乃至請求項３の何れかに記載の支払調書送付シートにおいて、
前記宛先印字領域を特定するための宛先領域確定枠が当該シートに予め印刷されていることを特徴としている。
【００１５】
請求項４に係る支払調書送付シートがこのような構成を有することで、支払調書を送付する送付する宛名を正確な位置に印字することができるようになる。
【００１６】
また、請求項５に係る支払調書送付シートは、請求項１乃至請求項４の何れかに記載の支払調書送付シートにおいて、
前記シートの長手方向において宛先印字領域と前記支払調書印刷領域又は前記源泉徴収票印刷領域の間に備考記載領域が設けられていることを特徴としている。
【００１７】
請求項５に係る支払調書送付シートがこのような構成を有することで、備考記載領域に特別に追加すべき記載事項がある場合に、備考記載領域を利用してこの内容を記載することができるようになる。
【００１８】
また、請求項６に係る支払調書送付シートは、請求項１乃至請求項５の何れかに記載の支払調書送付シートにおいて、
前記備考確定領域を特定するための備考領域確定枠が当該シートに予め印刷されていることを特徴としている。
【００１９】
請求項６に係る支払調書送付シートがこのような構成を有することで、この備考記載領域に必要に応じて特別な内容の記載や連絡事項を文字のレイアウトのバランスをきれいに保ちながら記載することができるようになる。
【考案の効果】
【００２０】
本考案によると、上述した従来技術において生じていた課題を全て解決することができる。すなわち、本考案によると、誤った郵送先に支払調書を送ることのない支払調書送付シートを提供することができる。
【図面の簡単な説明】
【００２１】
【図１】本考案の一実施形態に係る支払調書送付シートを示す平面図である。
【図２】図１に示した支払調書送付シートの利用方法を示す説明図である。
【図３】図２に続いて図１に示した支払調書送付シートの利用方法を示す説明図である。
【図４】図１に示した支払調書送付シートを封筒に入れた状態を示す概略斜視図である。
【図５】図１に示した支払調書送付シートの第１の変形例を示す平面図である。
【図６】図１に示した支払調書送付シートの第２の変形例を示す平面図である。
【図７】図１に示した支払調書送付シートの第３の変形例を示す平面図である。
【考案を実施するための形態】
【００２２】
以下、本考案の第１の実施形態に係る支払調書送付シートの詳細な構成について図面に基づいて説明する。図１は、本考案の一実施形態に係る支払調書送付シートを示す平面図である。
【００２３】
本考案の一実施形態に係る支払調書送付シート１００は、任意の領域に分割できるように切断可能な材質でできた長方形のシート本体１０１の長手方向一方の端部の近傍領域であって短手方向一方の端部の近傍領域で特定される支払調書印刷領域１１０に支払調書１０が印刷され、かつ長手方向他方の端部近傍領域に、図１中想像線としての二点鎖線１２１で画成される支払調書を郵送するべき宛先印字領域１２０が備わっている。
【００２４】
そして、支払調書印刷領域１１０と宛先印字領域１２０を除いて長手方向と直交方向にシートを折り畳み可能となっている。
【００２５】
また、宛先印字領域が山折り面となるようにシート本体１０１を折り畳んだ状態で封止時に宛先印刷領域１２０を外部から確認可能な窓部を有した封筒に挿し込むことが可能なことができるようになっている。
【００２６】
より具体的には、支払調書送付シート１００は紙でできており、このシートの大きさはＡ４サイズとなっている。
【００２７】
そして、支払調書印刷領域１１０は、図１における下方右側に設けられている。そして、支払調書印刷領域１１０に必要事項を印字するようになっている。また、支払調書印刷領域１１０のすぐ近くの上側と左側には支払調書印刷領域１１０から支払調書１０のみを分離してこの支払調書１０だけ保管できるようにするためのミシン目１１１が入っている。なお、このミシン目１１１は必ずしも必要としないが、あった方が支払調書送付シート１００を受け取った者の使い勝手が良い。なお、この代わりにこの支払調書印刷領域を図１における下方左側に設けても良い。
【００２８】
また、宛先印字領域１２０は、図１における上方左側に余白として設けられている。宛先印字領域１２０には、支払調書１０に記載されたこれを送るべき相手先の住所と氏名が印字できるようになっている。
【００２９】
この支払調書送付シート１００の具体的な使い方について説明する。図２は、図１に示した支払調書送付シートの利用方法を示す説明図である。また、図３は、図２に続いて図１に示した支払調書送付シートの利用方法を示す説明図である。また、図４は、図１に示した支払調書送付シートを封筒に入れた状態を示す概略斜視図である。
【００３０】
具体的な使い方は、最初に、図１に示すように例えばＡ４縦紙の下部右側に支払調書１０を印刷した支払調書送付シート１００を用意し、このシート１００の左側上部分に図２（ａ）において△や×で示すように支払調書１０の宛先を印字するとともに、宛名を印字した部分と予め印刷された支払調書１０の部分の間に必要に応じて適当な文章（図２では図示せず）を印字する。そして、支払調書１０の部分に折り目を入れないように、図２（ａ）に示す支払調書送付シート１００の上側近傍を図２（ａ）において想像線として示す二点鎖線の下側の折り曲げ線１０５に沿ってシート幅方向に谷折りし、さらに図２（ａ）において想像線として示す二点鎖線の上側の折り曲げ線１０６に沿ってシート幅方向に山折りすることで支払調書送付シート１００をシート幅方向に２つ折りにする。すなわち、支払調書送付シート１００の宛先印字領域１２０が折り畳まれたシート１００の上面となるように折り畳み方向を特定して折り畳む（図２（ｂ）参照）。
【００３１】
このように折り畳んだ支払調書送付シート１００をその宛先が外部から認識可能となった透明の紙やビニールでできた宛先表示部（透明の窓部）５２０を有する封筒５００に入れる（図３参照）。この際、支払調書送付シート１００に印字した宛先印字領域１２０が封筒５００の宛先表示部５２０の下側に位置するようにして封筒５００の外部からこの支払調書送付シート１００の宛先（送付先）を容易に認識できるようにする（図４参照）。
【００３２】
このようにすることで、支払調書１０とその正しい宛先が１枚の支払調書送付シート１００に印字された状態で封筒に入れられるので、支払調書１０を誤った宛先に郵送することがなくなる。なお、支払調書送付シート１００を折る部分に折り曲げ線（図２（ａ）の二点鎖線参照）１０５，１０６を予め印刷しておいて、このシートを正確に折り畳めるようにしても良い。
【００３３】
続いて、本実施形態に係る支払調書送付シートの各変形例について説明する。なお、各変形例において上述の実施形態と同等の構成の部分については、対応する符号を付して詳細な説明を省略する。
【００３４】
図５は、図１に示した支払調書送付シートの第１の変形例を示す平面図である。本実施形態の第１の変形例に係る支払調書送付シート２００は、支払調書印刷領域の部分が、上述の実施形態のように支払調書印刷領域１１０となっている代わりに源泉徴収票印刷領域２１０となっている。
【００３５】
この第１の変形例によると、上述の実施形態と同様に源泉徴収票２０を誤って送ることなく本来受け取るべき人に確実に郵送することができるようになる。なお、上述の実施形態と同等に図５に示す源泉徴収票の上側と下側にミシン目２１１を入れても良い。
【００３６】
続いて、本実施形態の第２の変形例に係る支払調書送付シート３００について説明する。図６は、図１に示した支払調書送付シートの第２の変形例を示す平面図である。本実施形態の第２の変形例に係る支払調書シート３００は、宛先印字領域３２０を特定するための宛先印字領域確定枠３２１及びこれに加えて送付書情報領域特定枠３２２が支払調書送付シート３００に予め印刷されている。また、シート３００の長手方向において支払調書印刷領域３１０と宛先印字領域３２０の間に備考記載領域３３０が設けられ、この備考記載領域３３０を特定するための備考領域確定枠３３１がシート３００に予め印刷されている。
【００３７】
本実施形態の第２の変形例に係る支払調書送付シート３００によると、支払調書１０を送付する宛名を正確な位置に印字できるようになる。また、送付書情報を正確な位置に印字できるようになる。また、備考記載領域３３０に特別に追加すべき記載事項がある場合に、必要に応じて特別な内容の記載や連絡事項を文字のレイアウトのバランスをきれいに保ちながら記載することができるようになる。
【００３８】
続いて、本実施形態の第３の変形例に係る支払調書送付シート４００について説明する。図７は、図１に示した支払調書送付シートの第３の変形例を示す平面図である。本実施形態の第３の変形例に係る支払調書送付シート４００は、第２の変形例に係る支払調書送付シート３００において支払調書印刷領域３１０に支払調書１０が印刷される代わりに、源泉徴収票２０が印刷されている。そして、それ以外は、第２の支払調書送付シート３００と構成上同一である。この第３の変形例に係る支払調書送付シート４００によっても第２の変形例に係る支払調書送付シート３００と同様の効果を有するとともに、源泉徴収票１０を誤送することなく、本来受け取るべき人に送付することができる。
【符号の説明】
【００３９】
１０    支払調書
２０    源泉徴収票
１００    支払調書送付シート（シート）
１０１    シート本体
１０５，１０６    折り曲げ線
１１０    支払調書印刷領域
１１１    ミシン目
１２０    宛先印字領域
１２１    二点鎖線
２００    支払調書送付シート
２１０    源泉徴収票印刷領域
２１１    ミシン目
３００    支払調書送付シート
３２０    宛先印字領域
３２１    宛先印字領域確定枠
３２２    送付書情報領域特定枠
３１０    支払調書印刷領域
３３１    備考領域確定枠
４００    支払調書送付シート
５００    封筒
５２０    宛先表示部
【図１】
0003186901.tif 000003
【図２】
0003186901.tif 000004
【図３】
0003186901.tif 000005
【図４】
0003186901.tif 000006
【図５】
0003186901.tif 000007
【図６】
0003186901.tif 000008
【図７】
0003186901.tif 000009
【手続補正書】
【提出日】平成25年8月28日(2013.8.28)
【手続補正１】
【補正対象書類名】実用新案登録請求の範囲
【補正対象項目名】全文
【補正方法】変更
【補正の内容】
【実用新案登録請求の範囲】
【請求項１】
任意の領域に分割できるように切断可能な材質でできた長方形のシートの長手方向一方の端部の近傍領域であって短手方向一方の端部の近傍領域で特定される支払調書印刷領域に支払調書が印刷されかつ長手方向他方の端部近傍領域に、前記支払調書を郵送するべき宛先印字領域が備わり、
前記支払調書印刷領域と前記宛先印字領域を除いて前記長手方向と直交方向に前記シートを折り畳み可能となっており、
前記宛先印字領域が山折り面となるように前記シートを折り畳んだ状態で封止時に前記宛先領域を外部から確認可能な窓部を有した封筒に挿し込むことが可能なことを特徴とする支払調書送付シート。
【請求項２】
前記支払調書印刷領域の部分が、当該支払調書印刷領域となっている代わりに源泉徴収票印刷領域となっていることを特徴とする請求項１に記載の支払調書送付シート。
【請求項３】
前記シートがＡ４サイズの紙でできており、前記支払調書印刷領域又は前記源泉徴収票印刷領域のみを人の指で切り離し可能とするミシン目が形成されていることを特徴とする請求項１又は請求項２に記載の支払調書送付シート。
【請求項４】
前記宛先印字領域を特定するための宛先領域確定枠が当該シートに予め印刷されていることを特徴とする請求項１乃至請求項３の何れかに記載の支払調書送付シート。
【請求項５】
前記シートの長手方向において宛先印字領域と前記支払調書印刷領域又は前記源泉徴収票印刷領域の間に備考記載領域が設けられていることを特徴とする請求項１乃至請求項４の何れかに記載の支払調書送付シート。
【請求項６】
前記備考確定領域を特定するための備考領域確定枠が当該シートに予め印刷されていることを特徴とする請求項１乃至請求項５の何れかに記載の支払調書送付シート。